(57)【要約】【課題】シールリングをリンクプレートの間でコンベヤチェーン稼動中にずれないように安定させておくことができ、チェーンの屈曲性能低下、シールリングの寿命低下を抑制できると共に、ピンとブシュとの間に充填された潤滑剤漏出を防止すること。【解決手段】コンベヤチェーン１は外リンクプレート２をピン３で連結した外リンクと、内リンクプレート５をブシュ７で両端部７ａを突出させて連結した内リンク８とが、ブシュ７に遊嵌したピン３により連結され、ピン３とブシュ７との間に潤滑剤が充填されている。ブシュ端部７ａ外周に密着して弾性体シールリング９が装着され、シールリング９は外リンクプレート２と内リンクプレート５との間に挟装され、シールリング９が平坦な底面部９ａと環状凹凸部９ｂを有する頂部９ｃとを備え、シールリング９は平坦な底面部９ａを接合面として内リンクプレート５に接着されている。【選択図】図１
2009264502.tif 000002
【特許請求の範囲】
【請求項１】
一対の外リンクプレートを２個のピンで連結した外リンクと、一対の内リンクプレートをローラが遊嵌された２個のブシュで両端部を突出させて連結した内リンクとが、前記ブシュに遊嵌した前記ピンにより交互に連結され、前記ピンと前記ブシュとの間に潤滑剤が充填されているコンベヤチェーンにおいて、
前記ブシュ両端部外周に密着して弾性体シールリングが装着されると共に、該シールリングは前記外リンクプレートと前記内リンクプレートとの間に挟装され、
前記シールリングが平坦な底面部と環状凹凸部を有する頂部とを備え、前記シールリングは平坦な底面部を接合面として前記内リンクプレートに接着されていることを特徴とするコンベヤチェーン。
【請求項２】
前記シールリングは、平坦な底面部に接着シールが接着されていることを特徴とする請求項１記載のコンベヤチェーン。
【請求項３】
前記外リンクプレートと前記内リンクプレートとの間に挟装された前記シールリングは、頂部が前記外リンクプレートに摺動可能に密接していることを特徴とする請求項１又は２記載のコンベヤチェーン。
【請求項４】
前記弾性体シールリングは、フッ素ゴムで一体成形されていることを特徴とする請求項１乃至３のいずれかに記載のコンベヤチェーン。
【発明の詳細な説明】
【技術分野】
【０００１】
本発明は、ピンとブシュとの間に充填した潤滑剤の漏出を防止するようにしたシール機能を備えているコンベヤチェーンに関する。
【背景技術】
【０００２】
従来、チェーンを構成する内リンクプレートと外リンクプレートとの間にシール機構を設け、ピンとブシュとの間に充填した潤滑油（グリース、オイル）の漏出防止、外部からの異物侵入防止等を図ったシール機能を備えた伝動チェーンが知られている（特許文献１参照。）。
【０００３】
図６に、従来の伝動チェーンの断面図を示す。伝動チェーン１１は、２枚のピンリンクプレート１３を２本のピン１４により結合したピンリンク１２と、２枚のローラリンクプレート１６をローラ１８を回転自在に嵌合した２本のブシュ１７により結合したローラリンク１５とをブシュ１７に挿入したピン１４により連結し、ピン１４とブシュ１７との間に充填した潤滑油の漏出を防止するように、ピンリンクプレート１３とローラリンクプレート１６との間にチェーンシール用パッキン（すなわち、シールリング）１９を介装したものである。
【特許文献１】特開２００３−９０３９０号公報（段落番号０００３、図６、図７）
【発明の開示】
【発明が解決しようとする課題】
【０００４】
前記従来の伝動チェーン１１は、チェーンシール用パッキン（シールリング）１９が断面円形のＯリングで、ピンリンクプレート１３とローラリンクプレート１６との間に押しつぶして介装されされているだけで、固定されていないため、チェーン稼動中にずれて安定性が悪いと共に、チェーン両端部同士の継ぎ手部形成時に外れて脱落し易く組立作業性が悪い、という問題がある。また、パッキン１９がスクイーズタイプのＯリングで、押しつぶして使用されるため、圧縮荷重が大きく、リンクプレート１３，１６とパッキン１９との摺動抵抗が大きく、チェーンの屈曲性能低下、チェーンシール用パッキン（シールリング）１９の寿命低下等が発生する、という問題がある。
【０００５】
そこで、本発明は、前記したような従来の問題点を解決し、シールリングをリンクプレートの間でコンベヤチェーン稼動中にずれないように安定させておくことができ、コンベヤチェーン両端部同士の連結作業時にシールリングが脱落しないようにして継ぎ手部形成時の作業性を向上させることができ、また、コンベヤチェーンの屈曲性能低下、シールリングの寿命低下を抑制できると共に、ピンとブシュとの間に充填された潤滑剤の外部へ漏出を防止でき、ピンとブシュとの間に外部から異物が侵入するのを防止することができるコンベヤチェーンを提供することを目的とする。
【課題を解決するための手段】
【０００６】
請求項１に係る本発明は、一対の外リンクプレートを２個のピンで連結した外リンクと、一対の内リンクプレートをローラが遊嵌された２個のブシュで両端部を突出させて連結した内リンクとが、前記ブシュに遊嵌した前記ピンにより交互に連結され、前記ピンと前記ブシュとの間に潤滑剤が充填されているコンベヤチェーンにおいて、前記ブシュ両端部外周に密着して弾性体シールリングが装着されると共に、該シールリングは前記外リンクプレートと前記内リンクプレートとの間に挟装され、前記シールリングが平坦な底面部と環状凹凸部を有する頂部とを備え、前記シールリングは平坦な底面部を接合面として前記内リンクプレートに接着されているコンベヤチェーン、という構成とすることにより前記課題を解決したものである。
【０００７】
請求項２に係る本発明は、前記請求項１に記載のコンベヤチェーンにおいて、前記シールリングは、平坦な底面部に接着シールが接着されている、という構成としたものである。
【０００８】
請求項３に係る本発明は、前記請求項１又は２に記載のコンベヤチェーンにおいて、前記外リンクプレートと前記内リンクプレートとの間に挟装された前記シールリングは、頂部が前記外リンクプレートに摺動可能に密接している、という構成としたものである。
【０００９】
請求項４に係る本発明は、前記請求項１乃至３のいずれかに記載のコンベヤチェーンにおいて、前記シールリングは、フッ素ゴムで一体成形されている、という構成としたものである。
【発明の効果】
【００１０】
請求項１に係る本発明のコンベヤチェーンによれば、一対の外リンクプレートを２個のピンで連結した外リンクと、一対の内リンクプレートをローラが遊嵌された２個のブシュで両端部を突出させて連結した内リンクとが、前記ブシュに遊嵌した前記ピンにより交互に連結され、前記ピンと前記ブシュとの間に潤滑剤が充填されているコンベヤチェーンにおいて、前記ブシュ両端部外周に密着して弾性体シールリングが装着されると共に、該シールリングは前記外リンクプレートと前記内リンクプレートとの間に挟装され、前記シールリングが平坦な底面部と環状凹凸部を有する頂部とを備え、前記シールリングは平坦な底面部を接合面として前記内リンクプレートに接着されているので、シールリングがブシュ端部に密接して装着されると共に、内リンクプレートに接着されているため、シールリングはブシュ端部と内リンクプレートに固定され、コンベヤチェーン稼動中にシールリングをずれないように安定させることができる。また、シールリングが内リンクプレートに接着されていて脱落しないため、コンベヤチェーンの継ぎ手部形成時における組立作業性を向上させることができる。
【００１１】
弾性体シールリングが環状凹凸部を有する頂部を備え、ブシュ両端部外周に密着して弾性体シールリングが装着されると共に、該シールリングは前記外リンクプレートと前記内リンクプレートとの間に挟装されているため、ピンとブシュとの間に充填された潤滑剤の外部へ漏出を防止できると共に、ピンとブシュとの間に外部から異物が侵入するのを防止することができる。
【００１２】
請求項２に係る本発明のコンベヤチェーンによれば、請求項１に係る本発明のコンベヤチェーンの奏する効果に加えて、前記シールリングは、平坦な底面部に接着シールが接着されているので、シールリングのブシュ端部への装着と内リンクプレートへの接着とを同時に行うことができるため、コンベヤチェーンの組立性を向上させることができる。
【００１３】
請求項３に係る本発明のコンベヤチェーンによれば、請求項１又は２に係る本発明のコンベヤチェーンの奏する効果に加えて、前記外リンクプレートと前記内リンクプレートとの間に挟装された前記シールリングは、頂部が前記外リンクプレートに摺動可能に密接しているので、環状凹凸部を有する頂部が外リンクプレートにつぶれずに接触することとなるため、外リンクプレートとの摺動抵抗を低減できると共に、コンベヤチェーンの屈曲性能低下、シールリングの寿命低下等を抑制することができる。
【００１４】
請求項４に係る本発明のコンベヤチェーンによれば、請求項１乃至３のいずれかに係る本発明のコンベヤチェーンの奏する効果に加えて、前記弾性体シールリングは、フッ素ゴムで一体成形されているので、外リンクプレートとシールリングとの摩擦抵抗を低減させることができ、コンベヤチェーンの屈曲性能を向上させることができる。
【発明を実施するための最良の形態】
【００１５】
本発明の実施例を図１〜図６を参照して説明する。図１はコンベヤチェーンの要部を示す断面図、図２はコンベヤチェーンの一部斜視図、図３はシールリングの断面図、図４はシールリングの一部平面図、図５は図１におけるＡ−Ａ線断面図である。
【００１６】
コンベヤチェーン１は、図１、図２に示すように、一対の外リンクプレート２，２のピン孔２ａ，２ａにそれぞれピン３，３の両端部を嵌入固定して形成された外リンク４と、一対の内リンクプレート５，５のブシュ孔５ａ，５ａに、ローラ６が遊嵌されたブシュ７の両端部７ａ，７ａを突出させて嵌入固定して形成された内リンク８とからなり、外リンク４と内リンク８とがブシュ７にピン３が遊嵌されることにより交互に多数連結されたものであり、ピン３とブシュ７との間に潤滑剤（図示略）が充填されている。
【００１７】
コンベヤチェーン１にシール機能を持たせるように弾性体シールリング９が設けられる。シールリング９は、図１、図３の断面図、図５の平面図で示すように、接着シール（所謂、両面接着テープ、両面粘着テープ等）１０が接着された平坦な底面部９ａと環状凹凸部９ｂを有する頂部９ｃとを備えている。このシールリング９は、ブシュ端部７ａの外周に密着して装着されると共に、外リンクプレート２と内リンクプレート５との間に頂部９ｃが外リンクプレート２と摺動可能に密接して挟装され、平坦な底面部９ａを接合面として内リンクプレート５に接着されている。
【００１８】
弾性体シールリング９は、耐油性、耐熱性、耐摩耗性に優れた合成ゴム、合成樹脂等で一体成形したもので、合成ゴム、合成樹脂等としては、フッ素ゴム（ＥＰＭ）、ニトリルゴム（ＮＢＲ）、アクリルゴム（ＡＣＭ）、水素化ニトリルゴム（ＨＮＢＲ）、エチレンプロピレンゴム（ＥＰＤＭ）、ＭＣナイロン（登録商標）等が好ましい。
【００１９】
以上、本発明の実施例であるコンベヤチェーン１の構成について説明したが、以下作用効果を説明する。コンベヤチェーン１は、スプロケット（図示略）に巻掛けられて周回走行するが、ピン３とブシュ７との間に潤滑剤（図示略）が充填されているので、円滑に屈曲し、コンベヤチェーン１の屈曲性能低下を抑制することができる。この場合、シールリング９がブシュ端部７ａに密接して装着されると共に、内リンクプレート５に接着されているので、シールリング９はブシュ端部７ａで保持されると共に、内リンクプレート５に固定されるため、コンベヤチェーン稼動中にシールリング９をずれないように安定させることができる。
【００２０】
コンベヤチェーン１の組立に際しては、シールリング９の底面部９ａに接着シール１０が接着されているので、シールリング９のブシュ端部７ａへの装着と内リンクプレート５への接着とを同時に行うことができるため、コンベヤチェーン１の組立性を向上させることができる。
【００２１】
また、コンベヤチェーン１の両端部同士を連結して無端状チェーンにする継ぎ手部形成作業は、通常ユーザーによって行われることが多く、この場合チェーンを吊り下げての連結作業であるが、シールリング９は内リンクプレート５に接着されていて脱落しないため、継ぎ手部形成時における組立作業性を向上させることができる。
【００２２】
弾性体シールリング９が環状凹凸部９ｂを有する頂部９ｃを備え、このシールリング９は、ブシュ両端部７ａ，７ａ外周に密着して装着されると共に、外リンクプレート２と内リンクプレート５との間に挟装されているので、外リンクプレート２に接触する頂部９ｃの環状凹凸部９ｂがラビリンスシールとして機能するため、ピン３とブシュ７との間に充填された潤滑剤の外部へ漏出を防止できると共に、ピン３とブシュ７との間に外部から異物が侵入するのを防止することができる。
【００２３】
外リンクプレート２と内リンクプレート５との間に挟装されたシールリング９は、頂部９ｃが外リンクプレート５に摺動可能に密接しているので、シールリング９が外リンクプレート５につぶれずに接触することとなるため、外リンクプレート５との摺動抵抗を低減できると共に、コンベヤチェーンの屈曲性能低下、シールリング９の寿命低下等を抑制することができる。この場合、図１に示すように、ブシュ７の最先端部が外リンクプレート２に摺動可能に接触するようにし、シールリング頂部９ｃを外リンクプレート２に密接するようにすると、シールリング９は過度に圧縮されないため、長期に亘るコンベヤチェーンの周回走行によってもシールリング９の摩耗を抑制でき、さらにシールリング９の寿命低下を防止することができる。
【００２４】
弾性体シールリング９がフッ素ゴムで一体成形されている場合は、外リンクプレート２とシールリング９との摩擦抵抗を低減させることができ、コンベヤチェーン１の屈曲性能の向上を図ることができる。
【００２５】
以上、実施例について説明したが、外リンク４は一対の外リンクプレート２，２のピン孔２ａにそれぞれピン３，３の両端部を嵌入固定する代わりに、通常行われるように、ピン３の一方端部を外リンクプレート２のピン孔２ａに挿入して外側に突出させて割りピンで抜け止めするようにしても構わない。図１，図５において、シールリング頂部９ｃの環状凹凸部９ｂとして、環状凹部が１個（つまり環状凸部が２個）のものを示したが、環状凹部を複数個としても構わない。また、内リンクプレート５とシールリング９とをシールリング底面部９ａの接着シール１０で接着する代わりに接着剤で接着しても構わない。
【図面の簡単な説明】
【００２６】
【図１】本発明実施例のコンベヤチェーンの断面図である。
【図２】コンベヤチェーンの一部斜視図である。
【図３】シールリングの断面図である。
【図４】シールリングの一部平面図である。
【図５】図１におけるＡ−Ａ線断面図である。
【図６】従来の伝動チェーンの断面図である。
【符号の説明】
【００２７】
１    コンベヤチェーン              ２    外リンクプレート
２ａ  ピン孔                        ３    ピン
４    外リンク                      ５    内リンクプレート
５ａ  ブシュ孔                      ６    ローラ
７    ブシュ                        ７ａ  端部
８    内リンク                      ９    弾性体シールリング
９ａ  底面部                        ９ｂ  環状凹凸部
９ｃ  頂部                          １０  接着シール
【図１】
2009264502.tif 000003
【図２】
2009264502.tif 000004
【図３】
2009264502.tif 000005
【図４】
2009264502.tif 000006
【図５】
2009264502.tif 000007
【図６】
2009264502.tif 000008